(57)【要約】【課題】見やすく、場所を選ばずに容易に取り付け取り外しが出来、取り外した痕の残らない、さらには意匠性にも優れた掲示板を提供する。【解決手段】板状、線状または粒子状の強磁性体を、該強磁性体の表面積より大きい表面積を持つ樹脂フィルムで挟み込み封止し、その余った樹脂フィルム部を用い固定する。強磁性体表面に色彩、絵柄等を印刷した意匠性を付与する層を形成することが好ましい。樹脂フィルム表面に色彩、絵柄等を印刷した意匠性を付与する層を形成することが好ましい。【選択図】なし【特許請求の範囲】
【請求項１】
強磁性体を、該強磁性体の表面積より大きい表面積を持つ樹脂フィルムで挟み込み封止することで構成されることを特徴とする掲示板。
【請求項２】
強磁性体が板状、線状または粒子状である請求項１記載の掲示板。
【請求項３】
強磁性体表面に所望の意匠を付与した請求項１記載の掲示板。
【請求項４】
樹脂フィルム表面に所望の意匠を付与した請求項１記載の掲示板。
【発明の詳細な説明】
【０００１】
【発明の属する技術分野】
本発明は掲示板、特に磁石の磁力により掲示物を固定させる掲示板の改良に関する。
【０００２】
【従来の技術】
掲示板の掲示板面を構成する材料に鉄を主成分とするシートが含まれている場合、掲示物を固定する主たる手段としては磁石の磁力で掲示物を掲示板に押し付ける方法が挙げられるが、マッチ針や画鋲等の細いピン刺しで掲示物を掲示板に突き刺す方法、面ファスナーテープで接合する方法などの固定手段の使い分けが出来る構成のものも良く知られている。特に、磁石の磁力で掲示物を掲示板に押し付ける方法とマッチ針や画鋲等の細いピン刺しで掲示物を掲示板に突き刺す方法は掲示物および掲示板面を傷つけることが少ないので好まれている。
【０００３】
掲示板を建造物、家具、電気製品や器物等（以下、固定物と称する）に固定する手段として接着剤やネジ止めによる強固な固定方法が一般的に実施されるが、掲示板自体の重量が１ｋｇ以下程度の比較的軽量の場合はスチール製の固定物に磁石の磁力を利用して固定する方法やガラスや陶器、石、セメントまたはＦＲＰの固定物に両面テープや面ファスナーテープで接合する方法が用いられる。また、掲示板自体の重量に応じて、木や石膏、土またはプラスチックの固定物に釘を深く打ち込むか木ネジ等を固定物に深くねじ込み、ひもや鎖で吊るす方法が固定手段の使い分けとして良く知られている。中でも磁石の磁力を利用する方法は、一般家庭内やオフィス内で掲示板を移動等のために着脱を繰り返し行うような場合、固定物におよぼす汚れや傷によるダメージが軽くてすむため好まれる。
【０００４】
このような要求から、掲示板の表側に鉄を主成分とするシートと裏側に磁石を埋設または付設した掲示板が見受けられる。
【０００５】
【発明が解決しようとする課題】
しかしながら、一般家庭内やオフィス内で掲示板を磁石の磁力で固定するための固定物は、一般家庭内では冷蔵庫の側壁や扉、オフィス内では更衣室のスチール製ロッカーや机と限られ、掲示板を所望の場所に敷設できない。このため、一般家庭内の子供部屋、書斎、リビングルームや玄関およびオフィス内の壁にはフックを接着剤、釘や木ねじで固定しそのフックに掲示板を吊るし敷設する方法が多く見受けられる。しかし、日常生活でたびたび行われる室内の模様替え等に伴う、掲示板を移動した跡の固定物に残るフックを固定していた接着剤の汚れや剥がす際の傷および釘や木ねじで生じた目視で容易に判別できる穴に起因する内装の美観損失や、該損失に伴う経済価値の低下からこの方法は不評であった。
本発明は、掲示物を磁石の磁力で固定する機能を有し、固定物の種類にかかわらず使用でき、しかも一般家庭内やオフィス内の固定物に内装の美観を損なう事無く固定できる掲示板を提供することを目的とするものである。
【０００６】
【問題を解決するための手段】
本発明者は、強磁性体を、該強磁性体の表面積より大きい表面積を持つ樹脂フィルムで挟み込み封止することで構成されることを特徴とする掲示板が、その目的を達成しうることを見出した。
【０００７】
さらに、本発明者は、当該掲示板の構成材であるところの強磁性体表面および樹脂フィルム表面、強磁性体表面または樹脂フィルム表面に色や絵柄などの意匠性を付与することで、意匠性掲示板が容易に得られることを見出し、本発明を完成するに至った。
【０００８】
したがって、本発明は、強磁性体を、該強磁性体の表面積より大きい表面積を持つ樹脂フィルムで挟み込み封止することで構成されることを特徴とする掲示板である。
【０００９】
また、本発明は、当該掲示板の構成材であるところの強磁性体表面および樹脂フィルム表面、強磁性体表面または樹脂フィルム表面に色や絵柄などの意匠性を付与されていることを特徴とする掲示板である。
【００１０】
【発明の実施の形態】
以下、本発明の好適な実施形態について説明する。
本発明の掲示板は、強磁性体を、該強磁性体の表面積より大きい表面積を持つ樹脂フィルムで挟み込み封止することで構成されることを特徴とする掲示板である。
【００１１】
本発明で、強磁性体を、該強磁性体の表面積より大きい表面積を持つ樹脂フィルムで挟み込み封止することで構成されることを特徴とする主たる理由は、強磁性体が磁石と強く引き合う性質を有する他に、強磁性体を該強磁性体の表面積より大きい表面積を持つ樹脂フィルムで封入することにより端部に生じる樹脂フィルム部を利用する事で、固定物の美観や経済価値を損なう事無く掲示板を容易に着脱出来る方法を提供することが出来るからである。
【００１２】
本発明の掲示板を固定する方法は、掲示物および掲示板面を傷つけることが少ないので好まれている磁石の磁力で固定物に押し付ける方法とマッチ針や画鋲等の細いピン刺しで固定物に突き刺す方法である。強磁性体を封入して余る樹脂フィルム部の幅としては細いピン刺しで固定する場合、一般に使用されているマッチ針や画鋲等の細いピン刺しの針の太さが０．６ｍｍから１．２ｍｍであることから、２ｍｍ以上で良い。また磁石の磁力で固定する場合は、一般に使用されている掲示物固定用磁石の幅が５ｍｍ以上であることから、５ｍｍ以上で良い。好ましくはピン刺しによる固定方法と磁石の磁力による固定方法のいずれの方法でも固定できる５ｍｍ以上である。強磁性体を封入して余る樹脂フィルム部の面積は固定個所の数や形状を考慮すれば、大きい方が所望の固定方法が選択でき好都合であるが従来のＫＳ鋼、ＭＴ鋼やＭＫ鋼を材料とする磁石に加え磁力や加工性等のより優れたアルニコ、キュニフェ合金や新ＫＳ鋼、銅および鉄添加サマリウム−コバルト、ネオジウム−鉄−ホウ素系磁石が開発され実用に供されているので１固定部当たり５×５ｍｍ２以上あれば良い。さらに、強磁性体を封入して余る樹脂フィルム部の形状は強磁性体を封入する前後で樹脂フィルムや強磁性体の形状を切断や打ち抜きで所望の形状に出来るので、本発明の掲示板を固定物に固定する際の固定部の数は、固定物の固定部位や掲示物を含めた掲示板の重量等に応じて１箇所以上を適宜選択すれば良い。
【００１３】
樹脂フィルムに関しては熱可塑性樹脂、熱硬化性樹脂等いずれでも良く、樹脂その物の固有の色でも良く着色を施していても良い。さらに透明、半透明、不透明や樹脂表面に光沢が在っても無くても良い。内包する強磁性体は物理物性上金属である場合が多く、このため酸素や水蒸気のような金属を腐食するガスに対してバリアー性を有する樹脂フィルムがより好ましい。このような目的のために２種以上の性質の異なる樹脂フィルムを張り合わせた積層フィルムや無機物を蒸着せしめた樹脂フィルムや顔料や繊維を練り込んだ樹脂フィルムも好適に使用できる。また内装に調和した風合いを出すために樹脂フィルムに紙、木の薄板や布を張り合わせた複合フィルムも勿論使用できる。熱可塑性樹脂としては、アイオノマー、ダイアラックＡ（三菱レイヨン社の商標）、アクリロニトリルエチレンスチレン共重合樹脂、アクリロニトリルスチレン共重合樹脂、アクリロニトリルブタジエンスチレン共重合樹脂、カネカエンプレックス（鐘淵化学社の商標）、カネカＭＵＨ（鐘淵化学社の商標）、アクリロニトリル塩素化ポリエチレンスチレン共重合樹脂、ブタジエンスチレンメチルメテクリレートターポリマー、エチレン‐塩化ビニルコポリマー、エバ、ＥＶＡ加水分解物、塩素化エチレン酢酸ビニルコポリマー、エチレン酢酸ビニル塩化ビニルグラフトポリマー、エチレン・ビニルアルコールコポリマー、塩素化ポリ塩化ビニル、塩素化ポリエチレン、塩素化ポリプロピレン、カルボキシビニルポリマー、ケトン樹脂、ノルボルネン樹脂、フッ素樹脂、テフロン（デュポン社の商標）、ポリクロロトリフルオロエチレン、エチレンテトラフルオロコポリマー、ポリフッ化ビニリデン、ポリフッ化ビニル、ポリアセタール、ポリアミド、ポリアミドイミド、ポリアリレート、熱可塑性ポリイミド、ポリエーテルイミド、ポリエーテルエーテルケトン、低密度ポリエチレン、高密度ポリエチレン、ポリエチレンオキサイド、ポリエチレンテレフタレート、ポリエチレンナフタレート、ポリ塩化ビニリデン、軟質ポリ塩化ビニル、硬質ポリ塩化ビニル、ポリカーボネート、ポリ酢酸ビニル、ポリスチレン、ポリサルホン、ポリエーテルサルホン、ポリアミンサルホン、ポリパラビニルフェノール、ポリパラメチルスチレン、ポリアリルアミン、ポリビニルアルコール、ポリビニルエーテル、ポリビニルブチラール、ポリビニルホルマール、ポリフェニレンエーテル、変性ポリフェニレンエーテル、ポリフェニレンサルファイド、ポリブタジエン、ポリブチレンテレフタレート、ポリプロピレン、ポリメチルペンテン、ポリメチルメタクリレート、ウエノ−ＬＣＰ（上野製薬社の商標）、ザイダー（日本石油化学社の商標）、スミカスーパーＬＣＰ（住友化学社の商標）、ノバキュレート（三菱エンジニアリングプラスチック社の商標）、ベクトラ（ポリプラスチック社の商標）、等が挙げられる。熱硬化性樹脂としては、ビスフェノールＡ型エポキシ樹脂、臭素化ビスフェノールＡ型エポキシ樹脂、ポリフェノール型エポキシ樹脂、ポリグリシジル型エポキシ樹脂、アルコール型エポキシ樹脂、エステル型エポキシ樹脂、脂環式エポキシ樹脂、等のエポキシ樹脂、オリゴエステルアクリレート、キシレン樹脂、グアナミン樹脂、ジアリルフタレート樹脂、ＤＫＦ樹脂（名古屋油化社の商標）、熱硬化性樹脂プレポリマー、ビニルエステル樹脂、フェノール樹脂、不飽和ポリエステル樹脂、フラン樹脂、ポリイミド、ポリ（ｐ−ヒドロキシ安息香酸）、ポリウレタン、マレイン酸樹脂、メラミン樹脂、ユリア樹脂、等が挙げられる。この他にイオン交換樹脂、ＦＲＰ、ＦＲＴＰ、合成紙、合成パルプ、発泡プラスチック、合成木材、写真感光材料、セロハン、感光性樹脂等の二次加工樹脂およびセルロースアセテートプラスチック、セルロースアセテート、セルロイド、セルロース誘導体、ポリテルペン、非熱可塑性ポリエステル等の天然樹脂やフェノキシプラスチック、ポリブテン、石油樹脂、ＤＣＰＤ樹脂、アクリル樹脂等の中分子ポリマーも使用できる。これらの樹脂は単体で実用に供されることは少なく、通常プラスチック添加剤と総称される可塑剤、塩ビ安定剤、酸化防止剤、紫外線吸収剤、帯電防止剤、難燃剤、プラスチック用着色剤、有機発泡剤、滑剤、プラスチック用防カビ剤、結晶核剤等が樹脂および用途に応じて適材を適量加えられている。
これらから成る樹脂フィルムは１成分の樹脂フィルムで使用できるが、長期間の使用用途には包み込む強磁性体を空気中の酸素や水蒸気等の腐食性ガスからの遮断性やフィルムの機械的強度、寸法安定性、耐熱性や密着性機能に優れる積層フィルムが好適である。このような積層フィルムは１成分で製造方法の異なる複数の樹脂フィルムや多成分の樹脂フィルムといった性質の異なるフィルムで構成されている。１成分の樹脂フィルムは溶液製膜法の凝固法、バンド法、ドラム法で、溶融製膜法の無延伸、１軸延伸、逐次２軸延伸、同時２軸延伸Ｔダイ法やインフレーション法、チューブラ法等のリングダイ法、およびカレンダー法で製造される他、密着性向上の目的でコロナ放電処理や金属ナトリュウムでエッチング処理された樹脂フィルムも一般に供されている。積層フィルムは無機物であるアルミの真空蒸着法、ウエットラミネーション、ドライラミネーションやシングル、タンデム、共押し出し、サンドイッチラミネーション等の押し出しコーティングおよびＴダイ法やインフレ法等の共押し出しラミネーション、ホットメルトラミネーション、ヒートラミネーションに代表されるラミネート法で製造される他、密着性向上の目的でコロナ放電処理や金属ナトリュウムでエッチング処理された積層フィルムも一般に供されている。
【００１４】
強磁性体に関しては、鉄、コバルト、ニッケル、ガドリニウム、ディスプロシウム、ビスマス化マンガン、砒素化マンガン、ホウ素化マンガン、窒素化マンガン、アンチモン化マンガン、銅アルミマンガン合金、銅インジュウムマンガン合金、テルル化クロム、酸化クロム、酸化鉄酸化マンガン化合物、酸化鉄、酸化鉄酸化コバルト化合物、酸化鉄酸化ニッケル化合物、酸化鉄酸化銅化合物、酸化鉄酸化マグネシウム化合物、水素化ウラニウム等の物質および当該物質を主成分とする冷間圧延鋼、熱間圧延鋼、ケイ素鋼、方向性ケイ素鋼、ハイパーニク、７８−パーマロイ、ミューメタル鋼、スーパーマロイ、パーメンジュール、カーボニル鉄、フェロックスキューブＩＩＩ、炭素鋼、タングステン鋼、３６％コバルト鋼、レマロイ、コモル、アルニコＩＩ、アルニコＶ、アルニコＶＩ、ビカロイ、キュニフ、ベクトライト、プラチナ−コバルト、ハイフレックス等が挙げられる。これら強磁性体は通常、目的に応じて板状、線状および粒子状に加工製造されている。該強磁性体は亜鉛、アルミ、亜鉛アルミ合金、亜鉛アルミマグネシウム合金、クロム、ニッケル、錫、銅、銀、金、白金等を用いて表面にめっき層を形成し、時にはさらに塗料で塗装し、または金属箔、樹脂、塗料、鉱油、植物油や化学合成油で表面に膜を形成せしめる事により接着性、防錆性や好まれる美観を付与した状態で一般に供されている。
【００１５】
樹脂フィルムや強磁性体表面への意匠性の付与方法としては、例えば、有機顔料又は無機顔料や、有機染料又は無機染料顔で所望の色を付与した塗料で塗装する方法や油性または、水性インキ等をロール印刷、グラビア印刷、オフセット印刷、スクリーン印刷、インクジェット印刷、凸版印刷、フレキソ印刷方法等で所望の柄や文字を付与する方法があげられる。
【００１６】
強磁性体を樹脂フィルムで挟み込み封止する方法はあらかじめ樹脂フィルムを作成しておいて従来公知のロールや熱ロールで圧着する方法、プレスや熱プレスで圧着する方法やＴダイ方式で押し出し溶融した樹脂で挟み込み封止する方法の他にたとえば特公昭５７−１８２４２８号公報、特公昭６１−３６７６号公報に開示されているように、金属板側を加熱し圧着する方法や特開平１０−６５１４９４号公報に開示されているように太陽電池のような不連続のユニットを連続製造するロール式製造方法があるが、いずれの方法を用いても良い。
【００１７】
【実施例】
以下、本発明を実施例によって具体的に説明する。
〔実施例１〜３１、比較例１〜６〕
強磁性体として、板状は溶融亜鉛めっき塗装鋼板（白色、板厚０．０８ｍｍ〜１．６ｍｍ）、亜鉛アルミマグネシウムめっき塗装鋼板（白色、板厚０．２８ｍｍ）、亜鉛アルミニウムめっき鋼板（板厚０．２８ｍｍ）、ケイ素鋼板（板厚０．２８ｍｍ）を、線状は２０メッシュの亜鉛めっき鉄網（材料太さ１ｍｍ）、３０メッシュのクロムめっき鉄網（材料太さ０．５ｍｍ）を、粒子状はあらかじめ平均粒径０．１ｍｍの鉄粉を練り込んだゴム板（板厚２．０ｍｍ）を用いた。
【００１８】
板状強磁性体には、木目調模様またはマーブル模様をグラビア印刷した。
【００１９】
樹脂フィルムは市販のラミネート用、パウチ用およびレトルトパウチ用フィルムにインクジェット印刷で木目調模様またはマーブル模様を付与した。
【００２０】
トクデン（株）製７１１Ｄ−３２型温度制御式ロールラミネート機を用い、ロール線圧２ｋｇ／ｃｍで圧下しラミネート速度０．５ｍ／秒の条件で上記強磁性体を上記樹脂フィルムで被い封止し、直後水冷処理した。ロールの温度は上記樹脂フィルムの接着面側樹脂の軟化点または融点以上、分解点以下に適宜設定維持し、上記強磁性体の方も空気循環式加熱オーブンで、ラミネート機に挿入する直前の温度が上記樹脂フィルムの接着面側樹脂の軟化点または融点以上分解点以下になるように加熱した。
【００２１】
本発明による掲示板の着脱し易さと固定物におよぼす外観の評価は、１０人の被試験者が得られた掲示板（Ｂ４、Ａ３サイズ）を用いて、固定物が布地調エンボス加工された壁紙を貼り付けた石膏ボード（吉野石膏（株）製クロスタイガーボード〈ＣＴＢ〉）では立てた該ボードに株式会社ソニックの画鋲（針の太さ０．６ｍｍ〜１．２ｍｍ）、釘（針の太さ１．０ｍｍ〜２．０ｍｍ）、木ネジ（針の太さ１．２ｍｍ〜２．０ｍｍ）および日東化学工業（株）製ニットー両面テープを使用し、固定物が布地調スチール製パーティション（コクヨ製ローパーティション  品番ＰＩ−Ｐ１２１６  Ｆ３）では立てた該パーティションにマグネットバー（コクヨ製強力マグネットバー  クリア  品番  マク−Ｔ２００  Ｂ）を使用し、着脱し、以下の基準で評価した。
着脱し易さと外観の評価基準
◎  ：ほぼ全員が容易に着脱出来、８人以上が固定物に出来た痕が気に障らないと評価した場合
△  ：約半数が着脱の際指が痛いと感じたが８人以上が固定物に出来た痕が気に障らないと評価した場合
×  ：着脱の容易さ如何にかかわらず８人以上が固定物に出来た痕が気に障ると評価した場合
【００２２】
得られた結果を表３に示す。
【００２３】
【表１】
2004191900.tif 000002
2004191900.tif 000003
【００２４】
【表２】
2004191900.tif 000004
【００２５】
【表３】
2004191900.tif 000005
【００２６】
本発明例（実施例１〜３１）は掲示板の着脱が容易で固定物の美観に低下を及ぼさない。一方比較例１、２、４では美観の低下を及ぼさないものの固定器物が釘やネジのため、該頭部の小ささのため固定物に押し込む際指が痛く掲示板の着脱に困難を伴う。比較例３、５では針やネジ部が太いため固定物に美観の低下を及ぼした。比較例６では、石膏ボード表面のクロスが剥離し固定物に美観の低下を及ぼした。
【００２７】
【発明の効果】
本発明によれば、掲示物を磁石の磁力で固定する機能を有し、固定物種になんら制約を受ける事無くしかも一般家庭内やオフィス内の固定物に内装の美観を損なう事なくたやすく固定できる掲示板が、容易にしかも安定してかつ安価に製造でき、産業上格段の効果を奏する。また、本発明になる掲示板は強磁性体を樹脂フィルムで被い封止しているので錆びる事が無く長期間使用出来るため、経済的負担の軽減が出来るという効果もある。